(57)【要約】【課題】  スピーカ孔や水抜き孔から入り込んだ虫がカメラのレンズとカメラ窓の間に侵入することがなく、またレンズやレンズ窓が結露し難いインターホン装置のカメラ付玄関子機を提供する。【解決手段】  カメラのレンズ１０周囲に、玄関子機ケースに設けたカメラ窓６とカメラレンズ１０との間の空間Ｓを周囲と隔離するための円盤状の枠体１９を取り付けると共に、カメラ窓の内部に枠体１９と同一の曲率で形成した壁面１８ａを有するレンズ穴１８を形成し、枠体１９を壁面１８ａに当接するように配置し、その曲率中心の位置をカメラ回動中心と一致させた。【選択図】  図２
2008187647.tif 000002
【特許請求の範囲】
【請求項１】
来訪者を撮像するためのカメラ、及び前記カメラの撮像方向を変更するためのカメラ角度変更機構を備えたインターホン装置のカメラ付玄関子機において、
玄関子機ケースに設けたカメラ窓と前記カメラとの間の空間を周囲と隔離するために、前記カメラのレンズ周囲に鍔状の枠体を取り付けると共に、前記枠体に当接又は近接する閉塞枠を前記カメラ窓に設け、
前記枠体と前記閉塞枠の対向面を同一の曲率を設けて形成し、その曲率中心の位置を、前記カメラ角度変更機構の回動中心に一致させ、カメラ角度変更方向に曲率を設けたことを特徴とするインターホン装置のカメラ付玄関子機。
【請求項２】
前記枠体は球の一部を成す円弧状表面を有することを特徴とする請求項１記載のインターホン装置のカメラ付玄関子機。
【発明の詳細な説明】
【技術分野】
【０００１】
本発明はインターホン装置のカメラ付玄関子機に関し、詳しくはカメラの良好な撮像を維持するための改良に関する。
【背景技術】
【０００２】
インターホン装置のカメラ付玄関子機は、設置される玄関の状況により撮像対象である来訪者の撮像範囲が異なる為、画面中央に来訪者が収まるようカメラの撮像方向を変更できるように構成されたものがある。従来のこのようなカメラ付玄関子機は、玄関子機ケースにカメラ窓を設けその内部にカメラが設置され、カメラの角度変更を可能とするためにカメラ周囲、特にカメラのレンズ周囲には空間が設けられていた。
こうしてカメラ周囲に空間を設け、カメラをケース内に軸支することでチルト（或いはパン）操作を容易に実施でき、来訪者を最も見やすい位置にカメラを向けて固定することが可能となっていた（例えば、特許文献１参照）。
【特許文献１】特開２００４−５６５２６号公報
【発明の開示】
【発明が解決しようとする課題】
【０００３】
しかしながら、このようにカメラの撮像方向を変更可能とするためにカメラレンズ周囲に十分な空間を設けたカメラ付玄関子機は、カメラ前の空間がケース内の他の空間と連続して設けられているため、ケースのスピーカ部の孔や水抜き孔から侵入した虫等がカメラの前方まで侵入し、レンズ前面やカメラ窓の内側に張り付くことがあった。こうなると、カメラが撮像動作する度に虫等を撮像してしまい、居室親機のモニタにその影が映し出され、モニタ画面が見づらいものとなっていた。
また、入り込んだ虫等を取り出さなければならないが、一般の利用者が玄関子機ケースを開けて虫を取り除くのは容易ではなく、施工業者に除去を依頼しなければならかった。更に、レンズ前空間が周囲のケース内空間と連続していることで、外気が急に低下した場合など、レンズやカメラ窓に結露が生じて撮像映像が見づらくなることがあった。
【０００４】
そこで、本発明はこのような問題点に鑑み、スピーカ孔や水抜き孔から入り込んだ虫がカメラのレンズ前に侵入することがなく、またレンズやカメラ窓が結露し難いインターホン装置のカメラ付玄関子機を提供することを目的とする。
【課題を解決するための手段】
【０００５】
上記課題を解決する為に、請求項１に記載の発明は、来訪者を撮像するためのカメラ、及びカメラの撮像方向を変更するためのカメラ角度変更機構を備えたインターホン装置のカメラ付玄関子機において、玄関子機ケースに設けたカメラ窓と前記カメラとの間の空間を周囲と隔離するために、カメラのレンズ周囲に鍔状の枠体を取り付けると共に、枠体に当接又は近接する閉塞枠をカメラ窓に設け、枠体と前記閉塞枠の対向面を同一の曲率を設けて形成し、その曲率中心の位置を、カメラ角度変更機構の回動中心に一致させ、カメラ角度変更方向に曲率を設けたことを特徴とする。
この構成により、カメラの撮像角度を変更するとレンズ周囲に設けた枠体とカメラ窓に設けた閉塞枠との位置関係が変化するが、枠体及び閉塞枠の曲率中心とカメラの回動中心が同一であるので、枠体は閉塞枠に摺動するように移動する。よって、双方の対向関係が変化することがなく、カメラの撮像方向によらずレンズ前空間を周囲のケース内空間から常に隔離した状態を維持でき、虫等がレンズ前に侵入するのを防ぐことができる。
また、レンズとカメラ窓の間の空間を他のケース内空間から隔離することで、空気の移動がし辛くなりレンズ及びレンズ窓を結露しにくい構造とすることができる。
【０００６】
請求項２の発明は、請求項１に記載の発明において、枠体は球の一部を成す円弧状表面を有することを特徴とする。
この構成により、パン・チルト何れの方向であっても枠体と閉塞枠とを密着或いは近接させて対向した状態を維持しながらカメラ角度をスムーズに変更できる。
【発明の効果】
【０００７】
本発明によれば、カメラの撮像角度を変更しても、枠体は閉塞枠に摺動するように移動するので枠体と閉塞枠との対向関係が変化することがない。よって、カメラの撮像方向によらずレンズ前空間を周囲のケース内空間から常に隔離した状態を維持でき、虫等がレンズ前に侵入するのを防ぐことができる。
また、レンズとカメラ窓の間の空間を他のケース内空間とを隔離することで、レンズ及びレンズ窓を結露しにくい構造とすることができる。
【発明を実施するための最良の形態】
【０００８】
以下、本発明を具体化した実施の形態を、図面に基づいて詳細に説明する。図１は本発明に係るカメラ付玄関子機の一例を示し、（ａ）は正面図、（ｂ）はＡ−Ａ線端面図である。図１において、１はカメラ、２は内部にスピーカ３を具備したスピーカ孔、４は内部にマイク（図示せず）を具備したマイクア孔、５は呼出ボタン、６はカメラ１を露呈させるためにケース７に設けたカメラ窓、８は夜間等にカメラ撮像を行うための照明（図示せず）を内蔵した照明窓である。
また、図１（ｂ）の断面図に示すように、カメラ１はレンズ１０、撮像素子１１、撮像回路部１２等を備え、レンズ１０、撮像素子１１、撮像回路部１２は、後述するカメラ回動部材と共にカメラユニット１４を構成して一体に形成されている。
【０００９】
尚、ケース７は、表面を構成するケース上７ａと背面を構成するケース下７ｂとで形成され、ケース上７ａに形成されたカメラ窓６は、透明或いは半透明な合成樹脂板１３で閉塞形成されている。また、１５は通話回路形成部を示している。
【００１０】
図２はＢ部の拡大図を示している。図２におて、１８はカメラ１のレンズ１０を露出させるためのレンズ穴、１９はレンズ穴１８に当接するようにカメラ１側に取り付けられた枠体である。レンズ穴１８はカメラ窓６の内部に形成され、レンズ穴１８周囲のカメラ窓６内部はケース上７ａに一体に形成された閉塞面であり、カメラ窓６はレンズ穴１８のみ開口されている。
そして、レンズ穴１８に当接するように枠体１９が配置されている。即ち、カメラユニット１４はレンズ穴１８に枠体１９が当接するようにケース７内に設置され、カメラ窓６とカメラ１の間の空間Ｓはケース７内の他の空間と隔離された構成となっている。
尚、２０はレンズ１０の焦点を調整し、レンズ１０を保持する筒状のレンズフランジ２１に固定するためのネジを示し、ネジ固定部は枠体１９の一部を切り欠いて形成されている。
【００１１】
図３はカメラユニット１４の斜視図を示し、（ａ）は枠体１９を取り付けた図、（ｂ）は枠体１９を分離した図を示している。図３において、２２はカメラ１を中央各幅部に配置してカメラユニット１４をケース７内に軸支させるための軸支部材、２３は軸支部材２２の伸張した左右端部に設けられた回動軸、２４は撮像回路が組み付けられて撮像回路部１２の要部を構成するプリント基板であり、これらはネジ止め等で一体化されている。
【００１２】
そして、枠体１９は円盤状に形成され、中央にレンズ１０を露出させる丸孔１９ａを有し、周囲は球の一部を成す円弧状曲面で形成されている。また、背部には軸支部材２２に係止させるための一対の係止孔１９ｂが形成され、対応する軸支部材２２前面にはレンズ１０を挟んで一対の係止突起２５が設けられている。
この枠体１９は、軸支部材２２に取り付けた状態で枠体１９の曲率中心がカメラユニット１４の回動軸２３上に配置されるよう周囲曲面が形成されている。
【００１３】
一方、枠体１９に当接するレンズ穴１８は、図４のケース上７ａの背面斜視図に示すように、奥行きを有するリング状の壁面（閉塞枠）１８ａが設けられ、図２に示すように内面が曲率を設けて形成され、この曲率が枠体１９とほぼ同一で形成されている。
そして、図４において、２６ａ，２６ｂは回動軸２３を軸支してカメラユニット１４を装着する軸受け、２７は回動軸２３の端部に設けたチルト摘み２８（図５に示す）を保持する摘み受けであり、カメラユニット１４は上下方向に回動（チルト動作）可能に装着される。
【００１４】
図５は、このケース上７ａにカメラユニット１４の一部である軸支部材２２及びチルト摘み２８を取り付けた状態を示している。尚、実際には軸支部材２２のみがケース７に組み付けられる事はなく、プリント基板２４等を設けて一体化したカメラユニット１４がケース７に組み付けられる。また、チルト摘み２８は先端摘み片２８ａがケース下７ｂから露出してケース７背部から操作が可能となっている。
【００１５】
この図５に示すように、軸支部材２２の回動軸２３の一方がケース上７ａの図示右側の軸受け２６ａに挿入軸支され、回動軸２３のチルト摘み２８が組み付けられる他方が図示左側の軸受け２６ｂに挟持されて支持されている。
この回動軸２３と軸受け２６ａ，２６ｂとチルト摘み２８とでカメラ角度変更機構を構成し、手動でチルト角度が変更でき、チルト摘み２８を操作してカメラ１をチルト角度を変更しても、レンズ穴１８に枠体１９が当接した状態を維持しながらカメラ１の角度が変更される。
【００１６】
このように、カメラの撮像角度を変更するとレンズ周囲に設けた枠体とカメラ窓に設けた閉塞枠との位置関係が変化するが、枠体及び閉塞枠の曲率中心とカメラの回動中心が同一であるので、枠体は閉塞枠に摺動するように移動する。よって、双方の対向関係が変化することがなく、カメラの撮像方向によらずレンズ前空間を周囲のケース内空間から常に隔離した状態を維持でき、虫等がレンズ前に侵入するのを防ぐことができる。
また、レンズとカメラ窓の間の空間を他のケース内空間から隔離することで、空気の移動がし辛くなりレンズ及びレンズ窓を結露しにくい構造とすることができる。
更に、枠体は球状に形成されることで、パン・チルト何れの方向に角度変更しても閉塞枠と気密状態を維持できるし、スムーズに変更操作できる。
また、レンズユニットとカメラ窓との間の隙間を無くしたことによって、従来レンズ窓とカメラの間の隙間から基板等が見えないようにするためにカメラ窓背部に必要だったフランジ類を小さくすることが可能となり、ケース全体の小型化を図ることも可能となる。      
【００１７】
尚、上記実施形態は、レンズ穴１８の壁面１８ａに枠体１９が当接するものとして説明しているが、当接させずに僅かな隙間を設けて配置しても良い。例えば０．２ｍｍ程度の隙間を設けて配置しても良く、この程度の隙間であれば虫等が入り込むことができないしカメラ角度を変更してもこの隙間が大きくなることが無いので、虫等の侵入を防ぐことができる。
また、枠体１９は円盤状に形成されているが、上記実施形態の如くチルト動作のみ可能とする構成の場合は、枠体１９を横方向に中心軸を有する蒲鉾状に形成しても良い。この場合レンズ穴１８の壁面１８ａの形状も同一形状の蒲鉾状の曲面を設けて形成すればよい。
【図面の簡単な説明】
【００１８】
【図１】本発明に係るインターホン装置のカメラ付玄関子機の一例を示し、（ａ）は正面図、（ｂ）はＡ−Ａ線端面図である。
【図２】図１のＢ部拡大図である。
【図３】カメラユニットの斜視図を示し、（ａ）は枠体を組み付けた図、（ｂ）は枠体を分離した図である。
【図４】カメラ付玄関子機のケース上背面斜視図である。
【図５】軸支部材をケースに取り付けた状態のケース上背面斜視図である。
【符号の説明】
【００１９】
１・・カメラ、６・・カメラ窓、７・・ケース、１０・・レンズ、１４・・カメラユニット、１８・・レンズ穴、１８ａ・・壁面（閉塞枠）、１９・・枠体、２３・・回動軸、２６ａ，２６ｂ・・軸受け、２８・・チルト摘み。
【図１】
2008187647.tif 000003
【図２】
2008187647.tif 000004
【図３】
2008187647.tif 000005
【図４】
2008187647.tif 000006
【図５】
2008187647.tif 000007